(57)【要約】【課題】固定陳列棚の前方に、可動陳列棚を左右方向に移動自在に装着して使用する態様と、可動陳列棚を外して、固定陳列棚のみを、単独でシンプルに使用する態様との、２つの態様で使用できるとともに、可動陳列棚を、簡単かつ迅速に着脱することができるようにする。【解決手段】左右１対の固定支柱５に、複数の棚板１０を、多段状に架設してなる固定陳列棚２の前方において、左右１対の可動支柱１５に、複数の棚板２０を、多段状に架設してなる可動陳列棚３を、左右方向に移動可能として配設し、可動陳列棚３の上端より後方に向かって延出するアーム２１の後端部を、左右の固定支柱５の上端部間に架設した左右方向を向く上部レール１１に、左右方向に移動可能として係合させる。  【選択図】  図１
2006296905.tif 000002
【特許請求の範囲】
【請求項１】
左右１対の固定支柱に、商品を陳列するための複数の棚板を、多段状に架設してなる固定陳列棚を有する商品陳列什器において、
左右１対の可動支柱に、商品を陳列するための複数の棚板を、多段状に架設してなる可動陳列棚を、前記固定陳列棚の前方において、左右方向に移動可能として配設し、かつ前記可動陳列棚の上端より後方に向かって延出するアームの後端部を、左右の固定支柱の上端部間に架設した左右方向を向く上部レールに、左右方向に移動可能として係合したことを特徴とする商品陳列什器。
【請求項２】
可動陳列棚およびアームを、固定陳列棚および上部レールに対して、上方に取外し可能としたことを特徴とする請求項１記載の商品陳列什器。
【請求項３】
各固定支柱の上端部を筒状とし、上部レールの各端部に設けた下向きの差し込み部を、前記各固定支柱の上端に嵌合することにより、上部レールを、左右の固定支柱の上端部間に架設したことを特徴とする請求項１または２記載の商品陳列什器。
【請求項４】
固定陳列棚における各固定支柱を、前後方向を向くベース脚の後部または中間部に立設し、左右のベース脚の前端部間に架設した左右方向を向く下部レール上に、可動陳列棚の下端に設けた車輪を、左右方向に転動可能として載架したことを特徴とする請求項１〜３のいずれかに記載の商品陳列什器。
【請求項５】
固定陳列棚における左右の固定支柱の下部同士を、左右方向を向く下部連結部材をもって互いに連結し、可動陳列棚における左右の可動支柱の上部同士、および下部同士を、左右方向を向く上部連結部材および下部連結部材をもって互いに連結したことを特徴とする請求項１〜４のいずれかに記載の商品陳列什器。
【請求項６】
可動陳列棚における左右の可動支柱間に、格子状部材を張設したことを特徴とする請求項１〜５のいずれかに記載の商品陳列什器。
【発明の詳細な説明】
【技術分野】
【０００１】
本発明は、スーパーマーケットやコンビニエンスストア等の商品売り場に設置される商品陳列什器に関する。
【背景技術】
【０００２】
従来のこの種の商品陳列什器には、左右１対の固定支柱に、商品を陳列するための複数の棚板を、多段状に架設してなる固定陳列棚の前方に、展示パネルを左右方向に移動自在に設け、この展示パネルに、サンプル商品等を、掛け具を介して掛止しうるようにしたもの(例えば特許文献１参照)や、布地ロール等を支持する固定枠の前方に、可動枠を左右方向に移動自在に設け、この可動枠にも、布地ロール等を支持しうるようにしたもの(例えば特許文献２参照)がある。
【特許文献１】実公昭５７−６０３８１号公報
【特許文献２】特公平７−２５０９０号公報
【発明の開示】
【発明が解決しようとする課題】
【０００３】
しかし、特許文献１および２に記載されているものでは、展示パネルや可動枠を左右方向に移動しうるように案内する上下のレールを、後方の固定陳列棚に組み付けた天板とベース脚との前端部の対向面に設けたり、固定枠と一体の固定体に設けたりしているので、展示パネルや可動枠を取り外して使用しようとしても、上下のレールや、それを支持するための部材が露呈して見苦しく、またそれらの部材を取り外そうとしても、それらの部材は、固定陳列棚等と一体的に組み付けられているので、取り外しは困難である。
【０００４】
本発明は、従来の技術が有する上記のような問題点に鑑み、固定陳列棚の前方に、可動陳列棚を左右方向に移動自在に装設して使用する態様と、可動陳列棚を取り外して、固定陳列棚のみを、単独で使用する態様との２態様で使用できるとともに、可動陳列棚を、固定陳列棚に対して、簡単かつ迅速に着脱することができるようにした、構造が簡単な複合型の商品陳列什器を提供することを目的としている。
【課題を解決するための手段】
【０００５】
本発明によると、上記課題は、次のようにして解決される。
(１)左右１対の固定支柱に、商品を陳列するための複数の棚板を、多段状に架設してなる固定陳列棚を有する商品陳列什器において、左右１対の可動支柱に、商品を陳列するための複数の棚板を、多段状に架設してなる可動陳列棚を、前記固定陳列棚の前方において、左右方向に移動可能として配設し、かつ前記可動陳列棚の上端より後方に向かって延出するアームの後端部を、左右の固定支柱の上端部間に架設した左右方向を向く上部レールに、左右方向に移動可能として係合させる。
【０００６】
(２)請求項(１)において、可動陳列棚およびアームを、固定陳列棚および上部レールに対して、上方に取外し可能とする。
【０００７】
(３)請求項(１)または(２)のいずれかにおいて、各固定支柱の上端部を筒状とし、上部レールの各端部に設けた下向きの差し込み部を、前記各固定支柱の上端に嵌合することにより、上部レールを、左右の固定支柱の上端部間に架設する。
【０００８】
(４)請求項(１)〜(３)のいずれかにおいて、固定陳列棚における各固定支柱を、前後方向を向くベース脚の後部または中間部に立設し、左右のベース脚の前端部間に架設した左右方向を向く下部レール上に、可動陳列棚の下端に設けた車輪を、左右方向に転動可能として載架する。
【０００９】
(５)請求項(１)〜(４)のいずれかにおいて、固定陳列棚における左右の固定支柱の下部同士を、左右方向を向く下部連結部材をもって互いに連結し、可動陳列棚における左右の可動支柱の上部同士、および下部同士を、左右方向を向く上部連結部材および下部連結部材をもって互いに連結する。
【００１０】
(６)請求項(１)〜(４)のいずれかにおいて、可動陳列棚における左右の可動支柱間に、格子状部材を張設する。
【発明の効果】
【００１１】
本発明によると、次のような効果を奏することができる。
(ａ)請求項１記載の発明によれば、上部レールに可動陳列棚のアームの後端部を係合させることにより、固定陳列棚の前方で、可動陳列棚が左右方向に移動する態様にして使用することができ、また、上部レールとアームの後端部との係合を外して、可動陳列棚を固定陳列棚から取り外すことにより、固定陳列棚だけで、シンプルな態様にして使用することができる。すなわち、使用目的や状況に応じて、上記２つの態様からいずれかを選択して使用できるとともに、可動陳列棚を、簡単かつ迅速に着脱することができる。
しかも、固定陳列棚は、従来の一般的な商品陳列棚の大部分をそのまま用いることができ、構造も簡単である。
【００１２】
(ｂ)請求項２記載の発明によれば、可動陳列棚およびアームは、固定陳列棚および上部レールに対して、上方に持ち上げるだけで、簡単に取り外すことができ、可動陳列棚の着脱作業が容易である。
【００１３】
(ｃ)請求項３記載の発明によれば、上部レールの各端部に設けた下向きの差し込み部を、各固定支柱の上端に嵌合するだけで、上部レールを、左右の固定支柱の上端部間に簡単に架設することができ、組み付け作業が容易である。
【００１４】
(ｄ)請求項４記載の発明によれば、固定陳列棚における左右のベース脚の前端部間に架設した下部レールに、可動陳列棚の下端に設けた車輪を載荷することにより、可動陳列棚を、固定陳列棚の前方において、左右方向にスムーズに移動することができるとともに、可動陳列棚を取り外したときは、下部レールも左右のベース脚の前端部間から取り外すことにより、固定陳列棚の前方を広く開放して、使用することができる。
【００１５】
(ｅ)請求項５記載の発明によれば、固定陳列棚における左右の固定支柱の上部同士、および下部同士は、左右方向を向く上部レール、および下部連結部材で互いに連結され、また可動陳列棚における左右の可動支柱の上部同士、および下部同士は、左右方向を向く上部連結部材および下部連結部材で互いに連結されるので、固定陳列棚および可動陳列棚を、簡単でしかも強固な構造とすることができる。
【００１６】
(ｆ)請求項６記載の発明によれば、可動陳列棚の左右の可動支柱間に張設した格子状部材に、掛け具を利用して商品を吊して陳列する等のことができ、使用形態がさらに拡大する。
【発明を実施するための最良の形態】
【００１７】
以下、本発明の実施形態を、図面に基づいて説明する。図１〜図３は、本発明の商品陳列什器の一実施例を示す。図４〜図６は、その各部の詳細を示す。
【００１８】
図１〜図３に示すように、この実施例の商品陳列什器(１)は、固定陳列棚(２)と、その前面に、左右方向に移動自在に装着した可動陳列棚(３)とからなっている。可動陳列棚(３)の左右方向の幅は、固定陳列棚(２)の左右方向の幅の約１／２としてある。したがって、固定陳列棚(２)の前面において左右方向に移動する可動陳列棚(３)は、固定陳列棚(２)の前面の横半分を常に閉じた状態となる。
【００１９】
固定陳列棚(２)は、前後方向を向く左右１対のベース脚(４)(４)と、各ベース脚(４)(４)の前後方向の中間位置より立設された左右１対の固定支柱(５)(５)と、固定支柱(５)(５)の下部同士を連結する下部連結部材(６)と、固定支柱(５)(５)の上部同士を連結する上部連結部材(７)とからなるフレーム(2a)を有している。また、左右のベース脚(４)(４)の下面の前端部と中間部と後端部とには、高さ調節用の脚座(８)が設けられている。
【００２０】
左右の固定支柱(５)(５)は、図５に示すように、上下面が開口する角筒状をなし、その前後面には、縦長の多数の係止孔(９)が、左右２列として、上下方向に等間隔をもって穿設されている。左右の固定支柱(５)(５)の前後両面における等高位置の左右の係止孔(９)(９)には、左右１対のブラケット(10a)(10a)の基端に設けた係止フック(図示略)を係止し、かつ左右に並ぶブラケット(10a)(10a)に、棚板(10)の両端部を支持させることにより、複数段の棚板(10)が取り付けられている。
【００２１】
図１，図４，および図５に示すように、上部連結部材(７)は、側面視上向きコ字状断面をなし、その上面は、溝型の上部レール(11)となっている。上部連結部材(７)の左右の端部下面には、金属板を折曲して形成した下向きの差し込み片(12)が設けられている。これを各固定支柱(５)の上端開口部(13)にそれぞれ嵌合することにより、上部連結部材(７)、すなわち溝型の上部レール(11)は、左右の固定支柱(５)(５)の上端部間に架設されている。
【００２２】
左右のベース脚(４)(４)の前端部間には、可動陳列棚(３)の直下に位置し、かつ左右方向を向く下部レール(14)が、着脱可能に取り付けられている。下部レール(14)上には、図６に示すように、アングル材により形成した山形のレール片(14a)が、溶接により固着されている。なお、レール片(14a)と下部レール(14)とは、一体に形成してもよい。下部レール(14)の下面の左右両側部には、ベース脚(４)に設けたものと同じ高さ調節用の脚座(８)が設けられている。
【００２３】
このように構成された固定陳列棚(２)は、上部連結部材(７)が溝型の上部レール(11)を形成していることと、各ベース脚(４)(４)の前端部間に、下部レール(14)を架設してあることとを除いては、従来の一般的な陳列棚の構造とほぼ同じである。したがって、従来の一般的な陳列棚における上部連結材を、上部レール(11)を有する上部連結部材(７)と交換し、かつ左右のベース脚(４)の前端部間に、下部レール(14)を架設するだけで、本発明における固定陳列棚(２)を形成することができる。
【００２４】
可動陳列棚(３)は、左右１対の可動支柱(15)(15)と、その上端部同士を連結する左右方向を向く上部連結部材(16)と、同じく下端部同士を連結する左右方向を向く下部連結部材(17)とからなるフレーム(3a)を有している。フレーム(3a)の内側には、針金状の部材を縦および横方向に格子状に結合してなる格子状部材(18)が、可動陳列棚(３)の背面板として取り付けられている。
【００２５】
左右の可動支柱(15)(15)は、角筒状に形成され、各前面には、固定支柱(５)におけるのと同様の多数の係止孔(19)が、同様の態様で設けられている。左右の可動支柱(15)(15)の前面には、棚板(10)より奥行きを小とした複数段(図示の例では５段)の棚板(20)が、ブラケット(20a)を介して、棚板(10)と同様の態様で取り付けられている。
【００２６】
左右１対の可動支柱(15)(15)の上端部、または上部連結部材(16)の左右両側部には、図１および図３に示すように、後方に向かって固定陳列棚(２)の上部連結部材(７)上まで延びる左右１対のアーム(21)を設けられている。両アーム(21)(21)の後端同士は、左右方向を向くアーム連結部材(22)により、互いに連結されている。
【００２７】
アーム連結部材(22)の両端部下面には、図４および図５に示すように、上下方向を向く枢軸(23)をもって、ローラ(24)が水平回転可能に取り付けられている。このローラ(24)は、上部連結部材(７)の溝型の上部レール(11)内に、転動可能として上方より嵌合され、上部レール(11)の案内により、アーム(21)とともに、すなわちフレーム(3a)と一体に、左右方向に移動可能に保持されている。
【００２８】
下部連結部材(17)の下面の左右両側部には、図６に示すように、取付ボルト(25)をもって、車輪取付具(26)が取り付けられている。車輪取付具(26)には、固定陳列棚(２)における下部レール(14)のレール片(14a)上に載架され、このレール片(14a)を軌道として、左右方向に転動する車輪(27)が取り付けられている。
【００２９】
車輪(27)は、図６に示すように、外周面の中央に環状の凹溝(27a)を有し、この凹溝(27a)間に、山形のレール片(14a)の頂部が嵌合し、両側部が、レール片(14a)の傾斜面に載って転動するようになっている。
【００３０】
次に作用について説明する。可動陳列棚(３)は、アーム(21)の先端部下面に設けたローラ(24)を、溝型の上部レール(11)に、上方より係合させるとともに、車輪(27)をレール片(14a)上に載架させた状態で、固定陳列棚(２)の前面において、左右方向に移動可能に配設されている。図１〜図３は、この状態を示している。
【００３１】
可動陳列棚(３)を左または右方向に引くと、可動陳列棚(３)は、上部レール(11)と下部レール(14)とにより案内されて、固定陳列棚(２)の直前を、左または右方向に移動する。可動陳列棚(３)は、固定陳列棚(２)の前面開口の横半面しか閉じていないので、可動陳列棚(３)が配置されていない箇所では、前方から固定陳列棚(３)内の商品を見たり、あるいは出し入れすることが自由にできる。
【００３２】
逆に、可動陳列棚(３)で隠されている箇所では、可動陳列棚(３)を左または右に移動させることにより、その箇所の商品を見たり、あるいは出し入れをすることができる。
【００３３】
したがって、この形態では、固定陳列棚(２)と可動陳列棚(３)を使用して、例えば、可動陳列棚(３)にサンプル商品を陳列し、固定陳列棚(２)にその在庫商品を収容するようにして、限られたスペースに多種類の商品を陳列することができる。
【００３４】
また、可動陳列棚(３)の棚板(20)を、可動支柱(15)から取り外すと、格子状部材(18)だけが残り、この格子状部材(18)の格子部分に、例えばハンガー等の掛け具を利用して、商品を吊して陳列する等のこともできる。
【００３５】
なお、棚板(20)を取り付けているとき、格子状部材(18)は、固定陳列棚(２)と可動陳列棚(３)とを分ける仕切壁となり、商品等が可動陳列棚(３)側から固定陳列棚(２)側、またはその逆に移動したりすることがないようにも機能する。
【００３６】
さらに、可動陳列棚(３)が不要な時には、可動陳列棚(３)を真上方向に持ち上げ、アーム(21)側のローラ(24)を上部レール(11)より外すとともに、車輪(27)をレール片(14a)より外すと、可動陳列棚(３)を、固定陳列棚(２)の前から取り外すことができ、固定陳列棚(２)だけで使用することができる。
また、このとき、下部レール(14)も、左右のベース脚(４)(４)の前端部間から取り外しておくことにより、固定陳列棚(２)の前方を広く開放して、使用することができる。
【００３７】
したがって、この実施例の構造によれば、一般的な商品陳列什器からの転用や、一般的な商品陳列什器への変更を容易にできる。
【００３８】
以上、本発明の一実施形態について説明したが、本発明は、特許請求の範囲を逸脱しない範囲で、上記以外の形態での実施が可能である。
例えば、次のような変形が可能である。
(１)下部レール(14)を省略し、可動陳列棚(３)の下端に設けた左右１対の車輪(27)(27)が、固定陳列棚(２)の前方において、床面上を左右方向に転動するようにする。
(２)アーム連結部材(22)を省略し、各アーム(21)の後端部下面に、ローラ(24)を枢軸(23)をもって枢着する。
【図面の簡単な説明】
【００３９】
【図１】本発明の一実施例である商品陳列什器の斜視図である。
【図２】同上商品陳列什器の正面図である。
【図３】同上商品陳列什器の側面図である。
【図４】同上商品陳列什器における固定陳列棚と可動陳列棚との連結部分の分解斜視図である。
【図５】同上商品陳列什器における固定陳列棚と可動陳列棚との連結部分の正面図である。
【図６】図２のVI−VI線に沿う拡大断面図である。
【符号の説明】
【００４０】
(１)商品陳列什器
(２)固定陳列棚
(2a)フレーム
(３)可動陳列棚
(3a)フレーム
(４)ベース脚
(５)固定支柱
(６)下部連結部材
(７)上部連結部材
(８)脚座
(９)係止孔
(10)棚板
(10a)ブラケット
(11)上部レール
(12)差し込み片
(13)上端開口部
(14)下部レール
(14a)レール片
(15)可動支柱
(16)上部連結部材
(17)下部連結部材
(18)格子状部材
(19)係止孔
(20)棚板
(20a)ブラケット
(21)アーム
(22)アーム連結部材
(23)枢軸
(24)ローラ
(25)取付ボルト
(26)車輪取付具
(27)車輪
(27a)凹溝
【図１】
2006296905.tif 000003
【図２】
2006296905.tif 000004
【図３】
2006296905.tif 000005
【図４】
2006296905.tif 000006
【図５】
2006296905.tif 000007
【図６】
2006296905.tif 000008